(57)【要約】      （修正有）【課題】効率よく快適に果汁を搾り出して利用することができ、かつ衛生面及び携帯性にもすぐれる果汁搾り器を提供する。【解決手段】果汁を搾るための搾り具１１０と、搾った果汁を収納するための収納容器１２０とを備え、搾り具は、果実が押し当てられる部位である搾り部１１１と、搾り部を伝わって流れ落ちた果汁を受けるとともに、果汁を収納部に流出させるための貫通孔が形成された受け皿部と、収納容器に嵌め込まれたときのずれを防止するストッパー部と、を備え、収納容器は、胴部１２１と、果汁の注ぎ口１２２と、胴部の外周面に形成された滑り止め部１２３と、取っ手１２４と、を備える。【選択図】図１
0003188312.tif 000002
【実用新案登録請求の範囲】
【請求項１】
果汁を搾るための搾り具と、搾った果汁を収納するための収納容器とを備え、
前記搾り具は、
果実が押し当てられる部位である搾り部と、
前記搾り部を伝わって流れ落ちた果汁を受けるとともに、前記果汁を前記収納部に流出させるための貫通孔が形成された受け皿部と、
前記収納容器に嵌め込まれたときのずれを防止するストッパー部と、を備え、
前記収納容器は、
胴部と、
前記果汁の注ぎ口と、
前記胴部の外周面に形成された滑り止め部と、
取っ手と、を備える
ことを特徴とする果汁搾り器。
【請求項２】
請求項１に記載の果汁搾り器であって、
前記滑り止め部は、前記胴部の外周面に縦方向に延びる複数の浅い溝により形成される
ことを特徴とする果汁搾り器。
【請求項３】
請求項１又は２に記載の果汁搾り器であって、
前記ストッパー部は、前記受け皿部の対称位置に二つ設けられ、外周方向に向かって突出するように形成される
ことを特徴とする果汁搾り器。
【請求項４】
請求項１〜３のいずれか一項に記載の果汁搾り器であって、
前記取っ手は、前記注ぎ口と対向する側の前記収納容器の側壁に形成される
ことを特徴とする果汁搾り器。
【請求項５】
請求項１〜４のいずれか一項に記載の果汁搾り器であって、
前記搾り具の搾り部は、先端部で平面又は凹面を形成している
ことを特徴とする果汁搾り器。
【請求項６】
請求項１〜５のいずれか一項に記載の果汁搾り器であって、
前記収納容器は、直径が６０ｍｍ〜８０ｍｍの範囲であり、高さが７５〜９５ｍｍの範囲である
ことを特徴とする果汁搾り器。
【請求項７】
請求項１〜６のいずれか一項に記載の果汁搾り器であって、
前記搾り具が前記収納容器に装着された状態において、前記搾り具を覆うことができる椀状の蓋体を備える
ことを特徴とする果汁搾り器。
【請求項８】
請求項１〜７に記載の果汁搾り器であって、
前記収納容器は、前記胴部下端から底部に向かって外周方向に傘状に広がる台座部を備える
ことを特徴とする果汁搾り器。
【考案の詳細な説明】
【技術分野】
【０００１】
本考案は、果汁搾り器に関する。
【背景技術】
【０００２】
果実類、とりわけレモンやグレープフルーツに代表される柑橘類は、その果汁の爽やかな香りと独特の酸味が飲み物や料理の美味しさを一層際立てるため、従来から広く一般家庭の台所や食卓で用いられてきた。また、豊富に含まれているビタミン類やクエン酸が健康にもよいことから、台所や食卓だけでなく、バーベキューやピクニックの際にも、柑橘類を携帯して果汁を搾って料理や飲み物に加えて楽しむ人が増えている。
【０００３】
柑橘類の果汁を搾り取る方法として、一般家庭においては柑橘類を二つに輪切りして、一つずつ手で持ち、その切断面を凹凸のある果汁搾り器に押しつけながら回して果汁を搾り取る方法が一般的である。このような果汁搾り器として、従来、例えば、金属素材を用いた椀体とその凹部中央に突設された略円錐状の外形を持ち且つその周面に複数の垂下溝条を設けた搾り部とからなり、その搾り部に半切した大型柑橘類の果肉部に照応する容積を与えると共に、椀体の椀壁周縁の対向する２ヶ所の位置に注ぎ口を穿設し他の周縁位置に別体の摘み部を付設してなる果汁搾り器が提案されている（特許文献１を参照）。
【先行技術文献】
【特許文献】
【０００４】
【特許文献１】実用新案登録第３０３４３３２号公報
【考案の概要】
【考案が解決しようとする課題】
【０００５】
しかしながら、上記の果汁搾り器は、果汁を搾るときに、片手の指腹で周縁位置の一箇所に付設された摘み部を掴んで果汁搾り器を固定するため、果汁搾り器が傾いたり、果汁搾り器を押さえる力が不十分だったりする。むろん、掴み部を使わず、手を広げて果汁搾り器の椀体を周縁位置の二箇所で押さえることも考えられるが、この場合には柑橘類を押し回す作業をするもう一方の手と干渉することになってしまう。また、上記の果汁搾り器は、搾り部により果汁と種が同時に搾りだされ、果汁と種がそのまま椀体に貯留するため、それらを分離する作業が必要となり、時間と労力が費やされるだけでなく、道具や手を使うことになり、衛生面でも好ましくない。
【課題を解決するための手段】
【０００６】
上記課題を解決するため、本考案に係る果汁搾り器は、果汁を搾るための搾り具と、搾った果汁を収納するための収納容器とを備え、前記搾り具は、果実が押し当てられる部位である搾り部と、前記搾り部を伝わって流れ落ちた果汁を受けるとともに、前記果汁を前記収納部に流出させるための貫通孔が形成された受け皿部と、前記収納容器に嵌め込まれたときのずれを防止するストッパー部と、を備え、前記収納容器は、胴部と、前記果汁の注ぎ口と、前記胴部の外周面に形成された滑り止め部と、取っ手と、を備える。
【考案の効果】
【０００７】
本考案によれば、効率よく快適に果汁を搾り出して利用することができ、かつ衛生面及び携帯性にもすぐれる果汁搾り器を提供することができる。
【図面の簡単な説明】
【０００８】
【図１】本考案の第１実施形態に係る果汁搾り器の正面図である。
【図２】本考案の第１実施形態に係る果汁搾り器の搾り具の平面図である。
【図３】本考案の第１実施形態に係る果汁搾り器の断面図（図１のA−A'方向断面図）である。
【図４】搾り具が収納容器に装着された状態における本考案の第１実施形態に係る果汁搾り器の平面図である。
【図５】本考案の第１実施形態に係る果汁搾り器の使用状態を示すための図である。
【図６】本考案の第１実施形態の変形例に係る果汁搾り器の概要を説明するための図である。
【図７】本考案の第２実施形態に係る果汁搾り器の正面図である。
【図８】本考案の第２実施形態に係る果汁搾り器の搾り具の平面図である。
【図９】本考案の第２実施形態の変形例１における果汁搾り器の搾り具を説明するための図面である。
【図１０】本考案の第２実施形態の変形例２に係る果汁搾り器の正面図である。
【図１１】本考案の第２実施形態の変形例２に係る果汁搾り器の使用状態を示すための図である。
【図１２】本考案の第２実施形態の変形例３に係る果汁搾り器の正面図である。
【考案を実施するための形態】
【０００９】
以下、本考案の実施の形態について図面を用いて説明する。
【００１０】
＜第１実施形態＞
第１実施形態に係る果汁搾り器は、例えばレモン、ライム、カボス、オレンジ、みかんのような比較的小さな柑橘類に用いられる形態である。以下では、レモンを例に説明する。
【００１１】
まず、第１実施形態に係る果汁搾り器１００の概要について説明する。図１は第１実施形態に係る果汁搾り器１００の正面図である。図２は第１実施形態に係る果汁搾り器１００の搾り具１１０の平面図である。図３は果汁搾り器１００の断面図（図１のA−A'方向断面図）である。図４は、搾り具１１０が収納容器１２０に装着された状態における果汁搾り器１００の平面図である。図１に示すように果汁搾り器１００は、搾り具１１０及び収納容器１２０を備える。搾り具１１０は、二つに輪切りにしたレモンの切断面を押し当てて果汁を搾り出すために用いられる。収納容器１２０は、搾り出した果汁を収納するために用いられる。
【００１２】
図２に示すように、搾り具１１０は、搾り部１１１と受け皿部１１２と凸部１１８とを備える。搾り部１１１は、レモンの切断面に当接して果肉に含まれる果汁を押し出す部分である。受け皿部１１２は、レモンから押し出された果汁を集め、収納容器１２０に導くとともに、種を受け止める受け皿である。凸部１１８は、搾り具１１０が収納容器１２０に嵌め込まれたときのずれを防止するするストッパー部として機能する。
【００１３】
搾り部１１１は、上方に隆起する略円錐形状であり、その外周面に縦方向に延びる複数の溝がある。この複数の溝は、複数の稜部及び複数の谷部から形成されている。稜部は外周方向に向かって隆起する部分であり、谷部は稜部の間に位置する部分である。搾り部１１１は、二つに輪切りしたレモンに対応する直径及び高さを有することが好ましく、例えば、円錐形の底面の直径D1は４０ｍｍ〜６０ｍｍの範囲であり、高さは４０ｍｍ〜６０ｍｍの範囲である。
【００１４】
搾り部１１１は、先端部１１３で一点になるように形成している。図２で示すように、平面において稜部と谷部は先端部１１３を中心に放射状に配列している。果汁を搾るときは、レモンの切断面を下にして稜部に当接させ、押しつけながら回す。これにより、果肉に含まれる果汁を搾り出しながらレモンと稜部との当接面をさらに大きくして果汁を搾り出す。谷部は流路になって、押し出された果汁及び種を下方に案内する。
【００１５】
受け皿部１１２は、搾り部１１１の下端縁から外周方向に広がる深底部１１４及び当該深底部１１４の外周縁から起立し外周方向に広がる外周縁部１１５を有する。受け皿部１１２は、搾り部１１１に対応する直径D2を有し、例えば、７０ｍｍ〜９０ｍｍの範囲である。
【００１６】
図３に示すように、外周縁部１１５は、収納容器１２０に載置される際に、その外周面１１５aが後述する収納容器１２０の口縁端部１２６の内周面１２６aに隙間なく嵌め込まれるため、外周直径は口縁端部１２６の内周直径にほぼ等しい。
【００１７】
図２に示すように、深底部１１４には複数の貫通孔１１６が設けられ、搾り部１１１により搾り出された果汁は貫通孔１１６を通って収納容器１２０に流れ落ちる。貫通孔１１６は、レモンの種よりも長さ及び幅の少なくともいずれかが小さく、搾り部１１１により搾り出された種を収納容器１２０に落下させることなく受け止めることができる。これにより、果汁と種を分離する作業にかかる時間と労力が省かれるだけでなく、他の道具や手を使わなくなるため衛生的である。
【００１８】
外周縁部１１５には、後述する取っ手１２４と対向する位置に切り欠け部１１７が設けられ、後述する収納容器１２０の注ぎ口１２２とで流出口を形成する。
【００１９】
外周縁部１１５には、凸部１１８が一つ以上設けられる。凸部１１８は、収納容器１２０に載置される際に、後述する収納容器１２０の凹部１２７に嵌め込まれて、搾り具１１０が横方向にずれないように作用する。凸部１１８は、外周縁部１１５から外周方向に向かって突出するように形成されることが好ましい。また、ずれ防止の観点から、対称位置に二つ設けられることが好ましい。
【００２０】
図１に示すように、収納容器１２０は、胴部１２１と注ぎ口１２２と滑り止め部１２３と取っ手１２４とを備える。
【００２１】
胴部１２１は、片手で無理なく把持できる程度、例えば直径が６０ｍｍ〜８０ｍｍの範囲である中空の筒状体である。果汁搾り器１００の搾り具１１０でレモンを搾る際に、胴部１２１は把持部として機能する。これにより、果汁を搾るとき、収納容器の胴部を五本の指及び手の腹全体で握って作業することになり、果汁搾り器を十分な力で把持した状態で果汁を搾り出すことができる。
【００２２】
また、収納容器１２０は、直径がレモンを縦にして収納できる程度の大きさであることが好ましい。具体的には、直径が６０ｍｍ〜８０ｍｍの範囲であり、高さが７５〜９５ｍｍの範囲であることが好ましい。これにより、搾ろうとするレモンを収納する容器として用いることができ、利便性が高くなる。例えば、二つに輪切りしたレモンを収納容器１２０に収納して携帯すれば、バーベキューやピクニック等のときにも、他の道具を必要とせずに、レモンの果汁を加えた料理や飲み物を楽しむことができる。
【００２３】
図３に示すように、胴部１２１は、その上端において口縁部１２５を有する。口縁部１２５は、斜め上に広がった後、上方に起立して口端縁部１２６を形成している。口縁端部１２６は、搾り具１１０の外周縁部１１５が嵌め込まれる部分であり、受け皿部１１２の大きさに相当する直径を有する。
【００２４】
口縁部１２５には、搾り具１１０の外周縁部１１５の凸部１１８と係合するための凹部１２７が設けられている。凸部１１８が当該凹部１２７に嵌め込まれることによって、搾り具１１０の横方向のずれが抑止される。凹部１２７は、凸部１１８と対応して、絞り部１１１を挟んで取っ手と注ぎ口の間の対称位置に二つ設けられることが好ましい。
【００２５】
胴部１２１は、その下端において底部１２８を有する。底部１２８は、胴部１２１の下端を閉塞する部分である。胴部１２１は、底部１２８に向かって徐々に狭めるように形成されることが好ましい。これにより、手を握るときの形状に近づき、収納容器の胴部を握りやすくなる。
【００２６】
図１に示すように、注ぎ口１２２は、収納容器の開口部に設けられている。具体的には、胴部１２１の上端の一部、即ち口縁部１２５の一部が外周方向に延出して形成される。図４に示すように、注ぎ口１２２と切り欠け部１１７とで流出口１２２aが形成される。
【００２７】
図１に示すように、滑り止め部１２３は、胴部１２１の外周面に形成される。滑り止め部１２３は、胴部１２１を把持したときの摩擦力を大きくして、果汁搾り器１００をより安定的に保持できるようにするものである。滑り止め部１２３は、胴部１２１の外周面に縦方向に延びる複数の浅い溝により形成される緩やかな起伏であることが好ましい。これにより、構造が簡便であるうえに、洗浄や乾燥の面で優れたものになる。
【００２８】
取っ手１２４は、収納容器１２０の側壁に形成される。ここで、取っ手１２４は、注ぎ口１２２と対向する側の収納容器１２０の側壁に形成されることが好ましい。収納容器１２０に収納された果汁は、取っ手１２４を握って収納容器１２０を傾けて上記注ぎ口１２２と切り欠け部１１７とで形成される流出口１２２aから注ぎ出されることになるからである。このように取っ手１２４を備えることにより、果汁搾り器を十分な力で安定して持ち上げて、移動することができ、例えば、指腹で摘み部を掴んで作業することによる保持力不足で果汁をこぼしたり、果汁搾り器を落としたりすることを防ぐことができる。
【００２９】
図４に示すように、果汁搾り器１００は、搾り具１１０の外周縁部１１５の外周面が収納容器１２０の口縁端部１２６の内周面に隙間なく嵌め込まれ、外周縁部１１５に設けられた凸部１１８と口縁端部１２６に設けられた凹部１２７が嵌め込まれることによって、搾り具１１０が収納容器１２０に載置されることによって装着される。
【００３０】
図５は果汁搾り器１００の使用状態を示すための図である。片手で収納容器１２０の胴部１２１を把持し、もう一方の手で二つに輪切りしたレモンPの切断面を下にして搾り部１１１に当てて果汁を搾り出す。図１〜４に示すように、このようにして搾り出された果汁は、搾り具１１０の深底部１１４に設けられた貫通孔１１６を通って収納容器１２０に溜め込まれる。そして、搾り具１１０の外周縁部１１５に設けられた切り欠け部１１７と収納容器１２０に設けられた注ぎ口１２２とで形成される流出口から注ぎ出される。
【００３１】
以上で説明した本実施形態に係る果汁搾り器は、台所だけではなく、醤油さしのように食卓に持ち込んで使用することができる。例えば、家族や友人で食卓を囲んで食事をするときに、本実施形態に係る果汁搾り器を回して好きな時に好きな量だけそれぞれが即席に果汁を搾り出して自分の飲み物に加えて利用することができ、利便性が高い。また、家族や友人でバーベキューやピクニックをするときにも、従来の果汁搾り器のようにそれを載置して作業するための平らで衛生な台を必要としないため、便利である。また、レストランなどや居酒屋などにおいても、それぞれ各自がレモンを搾るのではなく、絞ったレモン汁を各自の料理に必要な量をかける事で無駄が無く使えると共に、各自の手が汚れたり、汁が飛んで衣服を汚したりすることも防止できる。
【００３２】
なお、以上では、搾り部１１１が上方に隆起する略円錐形状であり、その外周面に縦方向に延びる複数の溝があるものとして説明したが、本考案はこれに限定されるものではない。例えば、搾り部１１１は、基底面に複数の棒状の突起を設けて形成されてもよい。
【００３３】
以上、第１実施形態では、レモンに適用することを例として説明したが、本考案はこれに限定されるものではない。言い換えれば、第１実施形態は、レモンに適用する果汁搾り器以外にも、例えば酢橘に適用する果汁搾り器として、搾り具の形状や収納容器の大きさが適宜変更されてもよい。さらには、比較的小さい柑橘類に共用できるように形成されてもよい。なお、第１実施形態に係る果汁搾り器を他の柑橘類を搾り出すために用いてもよいことは言うまでもない。
【００３４】
＜変形例＞
次に、第１実施形態の変形例について説明する。変形例に係る果汁搾り器１００Aについては、第１実施形態と共通する部分については同じ符号を用いてその説明を省略し、異なる点を説明する。
【００３５】
図６は、果汁搾り器１００Aの概要を説明するための図である。果汁搾り器１００Aは、蓋体１３０を備える。図６（ａ）は、蓋体１３０が装着された後の状態を示す図であり、図６（ｂ）は、蓋体１３０が装着される前の状態を示す図である。蓋体１３０は、搾り具１１０が収納容器１２０に載置されて装着された状態において、搾り具１１０及び収納容器１２０の口縁部１２５の端面を覆うことができる椀状の部材である。
【００３６】
果汁搾り器１００Aの収納容器１２０の口縁端部１２６には突起１２９が設けられている。突起１２９は、口縁端部１２６から上方に突起して形成されている。蓋体１３０には、その開口部下端において受け部１３１が設けられている。蓋体１３０は、搾り具１１０が収納容器１２０に装着された状態において、突起１２９が受け部１３１に嵌め込まれることによって装着される。具体的には、例えば、搾り具１１０が収納容器１２０に装着された状態において、蓋体１３０を口縁端部１２６に載せて時計方向に回すことによって、突起１２９が受け部１３１に嵌め込まれて装着される。
【００３７】
蓋体１３０は、さらに注ぎ口カバー部１３２を備えてもよい。注ぎ口カバー部１３２は、蓋体１３０の開口部の一部が外周方向に向って膨出して形成される。前述のように、搾り具１１０が収納容器１２０に装着された状態において蓋体１３０を口縁端部１２６に載せて時計方向に回すことによって、突起１２９が受け部１３１に嵌め込まれて蓋体１３０が装着される。この状態において、注ぎ口カバー部１３２は注ぎ口１２２をカバーし、注ぎ口１２２は完全に閉鎖される。また、蓋体１３０を反時計方向にすこし戻すことによって、注ぎ口カバー部１３２がずらされて注ぎ口１２２が開放される。即ち、突起１２９が受け部１３１に嵌め込まれた状態で、蓋体１３０を回すことによって、注ぎ口カバー部１３２は注ぎ口１２２を閉鎖することもできるし、開放することもできる。ここで、突起１２９の幅は、注ぎ口カバー部１３２が注ぎ口１２２から完全に離れる円周上の最短距離より長いものとする。このように注ぎ口カバー部１３２を備えることにより、蓋体１３０と絞り具１１０及び収納容器１２０とが装着された状態においても、収納容器に溜め込まれた果汁を注ぎ出すことができ、さらに利便性が高くなる。
【００３８】
蓋体１３０は、さらにその開口部の注ぎ口カバー部１３２と対向する位置に取っ手カバー部１３３を備えてもよい。取っ手カバー部１３３は、蓋体１３０の開口部の一部が外周方向に向って膨出して形成される。これにより、例えば、取っ手１２４の上端が胴部１２１の上端より高く形成されている場合でも、それをカバーすることができる。
【００３９】
以上のように、蓋体１３０を備えることにより、果汁搾り器１００Aは果汁搾り器１００に比べて携帯性がさらによくなる。すなわち、蓋体１３０を備えることで、果汁搾り器１００Aを衛生的に気軽に携帯することができる。例えば、「マイ箸」のようにレモンを収納した果汁搾り器１００Aさえ携帯すれば、学校や勤務先でお弁当を食べるときなどにも気軽に新鮮なレモンの果汁を利用することができる。また、家庭内で使用する場合でも、ラップで包むことなく、使い残しのレモンを果汁搾り器１００Aに収納して冷蔵庫で保存することができ、利便性が高くなる。
【００４０】
なお、以上では、蓋体が椀状の部材として説明したが、搾り具及び収納容器の開口部即ち口縁部の端面を覆うことができるものであればよく、必ずしもこれに限定されるものではない。また、収納容器には突起を、蓋体には受け部を設けて蓋体が果汁搾り器本体に装着されることを例に説明したが、例えば蓋体には突起を、収納容器には受け部を設けるように形成されてもよく、本考案はこれに限定されるものではない。
【００４１】
＜第２実施形態＞
第２実施形態に係る果汁搾り器は、例えばグレープフルーツのような比較的大きい柑橘類に用いられる形態である。以下では、グレープフルーツを例に説明する。また、第２実施形態は、第１実施形態とその構成において共通する部分が多く、以下では共通する部分について適宜省略しながら説明する。
【００４２】
図７は、第２実施形態に係る果汁搾り器２００の正面図である。図８は、第２実施形態に係る果汁搾り器２００の搾り具２１０の平面図である。果汁搾り器２００は、搾り具２１０及び収納容器２２０を備える。搾り具２１０は、果実類の切断面を押しつけながら回して果汁を搾り出すために用いられる。収納容器２２０は、搾り出した果汁を収納するために用いられる。
【００４３】
図８に示すように、搾り具２１０は、搾り部２１１及び受け皿部２１２を備える。搾り部２１１は、上方に隆起する略円錐状体であり、その外周面に縦方向に延びる複数の溝がある。この複数の溝は、複数の稜部及び複数の谷部から形成されている。搾り部２１１は、先端部で一点になるように形成されている。搾り部２１１は、二つ輪切りにしたグレープフルーツに対応する直径及び高さを有することが好ましく、例えば、直径D１は７０ｍｍ〜９０ｍｍの範囲であり、高さは５５〜７５ｍｍである。受け皿部２１２は、搾り部２１１に対応する直径を有し、例えば、直径D２は１２０〜１４０ｍｍの範囲である。搾り具２１０は、その他の構成については、第１実施形態における搾り具１１０と同様であり、ここではその説明を省略する。
【００４４】
収納容器２２０は、胴部２２１と注ぎ口２２２と滑り止め部２２３と取っ手２２４とを備える。胴部２２１は、片手で無理なく把持できる程度、例えば直径が６０ｍｍ〜８０ｍｍの範囲内である中空の筒状体である。果汁搾り器２００の搾り具２１０でレモンを搾る際に、胴部２２１は把持部として機能する。これにより、果汁を搾るとき、収納容器の胴部を五本の指及び手の腹全体で握って作業することになり、果汁搾り器を十分な力で把持した状態で果汁を搾り出すことができる。収納容器２２０は、その他の構成については、第１実施形態における収納容器１２０と同様であり、ここではその説明を省略する。
【００４５】
以上のように、第２実施形態における果汁搾り器２００は、搾り具についてはその直径、高さ、及びそれに対応する受け皿部の直径、収納容器については搾り具に対応して口縁端部の直径が異なる以外は、基本的には第１実施形態における果汁搾り器１００と同様な構成である。
【００４６】
以上、第２実施形態では、グレープフルーツに適用することを例に説明したが、本考案はこれに限定されるものではない。第２実施形態は、グレープフルーツ以外にも、他の比較的大きい柑橘類に適用する果汁搾り器として、搾り具の形状や収納容器の大きさを適宜変更することができる。また、比較的大きい柑橘類に共用できるように形成されてもよい。なお、第２実施形態に係る果汁搾り器を他の柑橘類を搾り出すために用いてもよいことは言うまでもない。
【００４７】
＜変形例１＞
第２実施形態の変形例１における果汁搾り器２００Aは、搾り具２１０Aのみが第２実施形態と異なるため、以下では第２実施形態と共通する部分については同じ符号を用いてその説明を省略し、異なる点を説明する。
【００４８】
図９は、第２実施形態の変形例１における果汁搾り器２００Aの搾り具２１０Aを説明するための図面である。図９（a）は、果汁搾り器２００Aの搾り具２１０Aの平面図であり、図９（b）は搾り具２１０Aの搾り部２１１Aを横から見た図面である。搾り具２１０Aの搾り部２１１Aは、先端部２１３Aで平面又は凹面を形成している。
【００４９】
グレープフルーツのように比較的大きい柑橘類は、果汁を搾り出す作業中に切断面が搾り具中心から外れたり、傾いたりしやすく、先端部２１３Aはこれを解消するためのものである。グレープフルーツのような柑橘類は、切断面においてじょうのうが放射状に配列している。果汁搾り器２００Aは、先端部２１３Aの外周において稜部が放射状に配列しているので、グレープフルーツを押し付けたとき、この先端部２１３Aにおける稜部がグレープフルーツの中心部のじょうのう膜の内側に食い込むことになる。これにより、作業中に輪切りしたグレープフルーツ等が搾り部からずれたり、傾いたりすることを抑止することができる。
【００５０】
＜変形例２＞
変形例２における果汁搾り器２００Bは、収納容器２２０Bのみが第２実施形態と異なるため、以下では第２実施形態と共通する部分については同じ符号を用いてその説明を省略し、異なる点を説明する。
【００５１】
図１０は、第２実施形態の変形例２に係る果汁搾り器２００Bの正面図である。図１１は、第２実施形態の変形例２に係る果汁搾り器２００BのグレープフルーツGに対する使用状態を示すための図である。収納容器２２０Bは、胴部２２１Bの下端から底部に向かって外周方向に傘状に広がる台座部２２９Bを有する。台座部２２９Bは、胴部２２１Bに一体で成形しても、後からはめ込んでも良い。さらに図示しないが、台座部２２９Bが、胴部２２１Bの下で回転する様にしても良い。
【００５２】
第２実施形態で説明したように、グレープフルーツに適用する果汁搾り器は、搾り具の直径、高さ、及びそれに対応する受け皿部の直径、収納容器については搾り具に対応して口縁端部の直径が、第１実施形態における果汁搾り器と比べて、大きく形成される。本変形例２では、これに対応して、果汁搾り器２００Bに台座部２２９Bを設けることによって接触面を大きくして、安定性を高める。また、収納容器の口端縁部が大きく形成されているため、口端縁部と台座部の間で形成される凹部で果汁搾り器２００Bを把持するようになるため、快適に作業することができる。
【００５３】
＜変形例３＞
変形例３は、変形例１の搾り具２１０Aと変形例２の収納容器２２０Bを組み合わせた例である。図１２は、第２実施形態の変形例３に係る果汁搾り器２００Cの正面図である。図１２で示すように、果汁搾り器２００Cは、先端部で平面又は凹面を形成する搾り具２１０Aと、胴部の下端から底部に向かって外周方向に傘状に広がる台座部を有する収納容器２２０Bとを備える。搾り具２１０A及び収納容器２２０Bは上記の通りであり、ここではその説明を省略する。
【符号の説明】
【００５４】
１００，２００  果汁搾り器
１１０，２１０  搾り具
１１１，２１１  搾り部
１１２，２１２  受け皿部
１１３，２１３  先端部
１１４          深底部
１１５          外周縁部
１１６          貫通孔
１１７          切り欠け部
１１８          凸部
１２０，２２０  収納容器
１２１，２２１  胴部
１２２，２２２  注ぎ口
１２３，２２３  滑り止部
１２４，２２４  取っ手
１２５          口縁部
１２６          口縁端部
１２７          凹部
１２８，２２８  底部
１２９          嵌合突起
１３０          蓋体
１３１          受け部
１３２          注ぎ口カバー部
１３３          取っ手カバー部
２２９          台座部
【図１】
0003188312.tif 000003
【図２】
0003188312.tif 000004
【図３】
0003188312.tif 000005
【図４】
0003188312.tif 000006
【図５】
0003188312.tif 000007
【図６】
0003188312.tif 000008
【図７】
0003188312.tif 000009
【図８】
0003188312.tif 000010
【図９】
0003188312.tif 000011
【図１０】
0003188312.tif 000012
【図１１】
0003188312.tif 000013
【図１２】
0003188312.tif 000014